(57)【要約】【課題】蓋体の開操作を容易に行うことができるうえ、鏡を使用状態に容易に移行させることができ、使い易いコンパクト容器を提供すること。【解決手段】内容物が収容され、上方に開口した収容容器２と、収容容器に対して上下方向に開閉可能に連結された蓋体３とを備え、蓋体は、収容容器の開口を覆うと共に外面に鏡２１が配設された蓋本体２０と、収容容器と蓋本体とを連結する連結板３０とを備え、連結板のうち後端部３０ａが収容容器に対して第１回転軸Ｍ１回りに回転可能に連結され、且つ前端部３０ｂが蓋本体の内面に対して、第１回転軸と平行な第２回転軸Ｍ２回りに回転可能に連結されているコンパクト容器１を提供する。【選択図】図５
2015223478.tif 000002
【特許請求の範囲】
【請求項１】
内容物が収容され、上方に開口した収容容器と、
前記収容容器に対して上下方向に開閉可能に連結された蓋体と、を備え、
前記蓋体は、
前記収容容器の開口を覆うと共に、外面に鏡が配設された蓋本体と、
前記収容容器と前記蓋本体とを連結する連結板と、を備え、
前記連結板のうち後端部が前記収容容器に対して第１回転軸回りに回転可能に連結され、且つ前端部が前記蓋本体の内面に対して、前記第１回転軸と平行な第２回転軸回りに回転可能に連結されていることを特徴とするコンパクト容器。
【請求項２】
請求項１に記載のコンパクト容器において、
前記蓋本体は、前記連結板を全域に亘って覆うと共に、前記連結板の前記後端部上に前記蓋本体の外周縁部の一部が位置し、
前記連結板の前記前端部は、前記蓋本体のうちその外周縁部より内側に位置する内側部分の内面に連結されていることを特徴とするコンパクト容器。
【請求項３】
請求項１又は２に記載のコンパクト容器において、
前記蓋本体は、前記連結板に形成された第１係合部に対して離脱可能に係合する第２係合部を備えていることを特徴とするコンパクト容器。
【請求項４】
請求項１から３のいずれか１項に記載のコンパクト容器において、
前記蓋本体の内面と前記連結板の他端部との間には、複数の回転角度で前記蓋本体を前記連結板に対して位置決めさせる位置決め部材が設けられていることを特徴とするコンパクト容器。
【発明の詳細な説明】
【技術分野】
【０００１】
本発明は、外面に鏡を有するコンパクト容器に関する。
【背景技術】
【０００２】
コンパクト容器として、例えば化粧料等の内容物が収容される収容容器と、鏡が取り付けられ、収容容器に対して回動可能に連結された蓋体と、を備えたものが知られている。この種のコンパクト容器は、通常、蓋体の内面側に鏡が取り付けられているが、蓋体を開けないかぎり鏡を使用することができないので、化粧チェック等を手軽に行うことができないうえ、例えば化粧料の飛散やパフやブラシ等の塗布具が落下する等の虞があった。
【０００３】
一方、例えば下記特許文献１に示されるような、蓋体の外側に鏡が取り付けられているコンパクト容器も知られている。
このコンパクト容器は、化粧料が収容される収容容器と、外面に鏡が取り付けられた蓋体と、収容容器の後端部側に取り付けられ、収容容器と蓋体とを回動可能に連結するヒンジ部と、を備えている。蓋体は、閉じた状態で収容容器上を、収容容器の後端部側へスライド移動可能とされている。収容容器の後端部側には、蓋体の前端部が入り込むことを許容する空隙部が形成されている。
【０００４】
このコンパクト容器では、蓋体の外面に鏡が取り付けられているので、蓋体を開けることなく鏡を使用することが可能である。また、化粧を行う場合には、蓋体を収容容器の後端部側へスライド移動させた後、蓋体の後端部を持ち上げるようにヒンジ部回りに回動させることで、蓋体の前端部を空隙部内に入り込ませることができる。これにより、鏡を前方に向けた状態で蓋体を立ち上がらせることができ、鏡を使用しながら化粧料を使用することができる。
【先行技術文献】
【特許文献】
【０００５】
【特許文献１】特許第５４２０４４６号公報
【発明の概要】
【発明が解決しようとする課題】
【０００６】
しかしながら、上記従来のコンパクト容器では、化粧料を使用する際、蓋体を収容容器上でスライド移動させる必要があるが、収容容器や内容物に対する引っ掛かりや、収容容器との間における摩擦抵抗等によってスライド移動をスムーズに行えない可能性があり、蓋体の操作性に改善の余地があった。
【０００７】
本発明は、このような事情に鑑みてなされたものであって、その目的は、蓋体の開操作を容易に行うことができるうえ、鏡を使用状態に容易に移行させることができ、使い易いコンパクト容器を提供することである。
【課題を解決するための手段】
【０００８】
上記の目的を達成するために、この発明は以下の手段を提供している。
（１）本発明に係るコンパクト容器は、内容物が収容され、上方に開口した収容容器と、前記収容容器に対して上下方向に開閉可能に連結された蓋体と、を備え、前記蓋体は、前記収容容器の開口を覆うと共に、外面に鏡が配設された蓋本体と、前記収容容器と前記蓋本体とを連結する連結板と、を備え、前記連結板のうち後端部が前記収容容器に対して第１回転軸回りに回転可能に連結され、且つ前端部が前記蓋本体の内面に対して、前記第１回転軸と平行な第２回転軸回りに回転可能に連結されていることを特徴とする。
【０００９】
本発明に係るコンパクト容器では、蓋本体の外面に鏡が配設されているので、蓋体を開けることなく鏡を使用でき、例えば化粧チェックを手軽に行える。
一方、化粧料等の内容物を使用する場合、蓋本体と収容容器とを連結している連結板の後端部が収容容器に対して回転可能に連結されているので、蓋体の全体を第１回転軸回りに回転させることで、収容容器に対して上方に離間するように蓋体を開操作することができる。そして、蓋体の開操作後、連結板に対して蓋本体を第２回転軸回りに回転させることで、蓋本体を裏返して、蓋本体の外面側を収容容器の開口側に向けることができる。これにより、鏡を使用しながら内容物を使用することができ、例えば化粧を行える。
【００１０】
このように、蓋体をスライド移動させる従来のものとは異なり、一連の回転操作を行うだけで、蓋体の開操作と鏡の使用状態への移行操作とを同時に行えるので、操作性に優れ、使い易い。特に、蓋体を収容容器上でスライド移動させる必要がないので、例えば蓋体が内容物に引っ掛かり、それによってパフ等の塗布具（内容物）が落下したり、化粧料（内容物）が空気中に飛散して鏡に付着したりする等の現象が生じ難い。また、収容容器に対する連結板の回転角度と、連結板に対する蓋本体の回転角度と、の２つの回転角度の組み合わせで鏡の傾斜角度を細かく調整することができるので、非常に使い易い。
【００１１】
（２）前記蓋本体は、前記連結板を全域に亘って覆うと共に、前記連結板の前記後端部上に前記蓋本体の外周縁部の一部が位置し、前記連結板の前記前端部は、前記蓋本体のうちその外周縁部より内側に位置する内側部分の内面に連結されても良い。
【００１２】
この場合には、蓋本体が連結板を全域に亘って覆っているので、蓋体の全体を第１回転軸回りに回転させる際、第１回転軸を中心とした蓋体の全体の回転半径を短くすることができるので、蓋体の開操作を行い易い。
また、連結板の前端部が蓋本体の外周縁部よりも内側に位置する内側部分の内面に連結されているので、蓋本体のうち、連結板の前端部よりもさらに前方に位置する部分の長さを短くすることができ、連結板に対して蓋本体を第２回転軸回りに回転させる際に、第２回転軸を中心とした蓋本体の回転半径を短くすることができる。従って、例えば蓋本体が収容容器に干渉する等して、操作性が悪化することを防ぐことができる。
【００１３】
（３）前記蓋本体は、前記連結板に形成された第１係合部に対して離脱可能に係合する第２係合部を備えても良い。
【００１４】
この場合には、蓋体の全体を第１回転軸回りに回転させる際、連結板に対して蓋本体が不意に回転してしまうことを防止することができる。従って、蓋体の開操作がより容易になる。
【００１５】
（４）前記蓋本体の内面と前記連結板の他端部との間には、複数の回転角度で前記蓋本体を前記連結板に対して位置決めさせる位置決め部材が設けられても良い。
【００１６】
この場合には、蓋体の開操作後、連結板に対して蓋本体を第２回転軸回りに回転させる際、蓋本体を複数の回転角度の中から選択した任意の回転角度で位置決めすることができる。従って、例えば使用環境や使用者の体型等に応じて鏡の傾斜角度を調整することができ、さらに使い易くなる。
【発明の効果】
【００１７】
本発明によれば、蓋体の開操作を容易に行うことができるうえ、鏡を使用状態に容易に移行させることができるので、使い易い。
【図面の簡単な説明】
【００１８】
【図１】本発明に係るコンパクト容器の実施形態を示す平面図である。
【図２】図１に示すＡ−Ａに沿うコンパクト容器の断面図である。
【図３】図１に示すＢ−Ｂに沿うコンパクト容器の断面図である。
【図４】図２に示す状態から、蓋体の全体を第１回転軸回りに回転させることで開操作した状態を示す断面図である。
【図５】図４に示す状態から、連結板に対して蓋本体を第１回転軸回りに回転させることで、鏡を前方に向けた状態を示す断面図である。
【図６】図４に示すＣ部分の拡大断面図である。
【図７】図６に示す矢印Ｄ方向から見た平面図である。
【図８】図５に示すＥ部分の拡大断面図である。
【発明を実施するための形態】
【００１９】
以下、本発明に係るコンパクト容器の実施形態について、図面を参照して説明する。
図１〜図３に示すように、本実施形態のコンパクト容器１は、化粧料等の内容物を収容する携帯用の蓋付き容器であり、平面視矩形状の扁平容器である。
このコンパクト容器１は、内容物が収容される収容容器２と、収容容器２に対して開閉可能に連結された蓋体３と、を備えている。
【００２０】
なお、本実施形態では、コンパクト容器１の厚さ方向において、蓋体３側を上側とし、収容容器２側を下側とする。また、上下方向に直交する方向において、後述する係合部５０側を前方、その反対側を後方とする。さらに、上下方向及び前後方向に直交する方向を左右方向とする。
【００２１】
収容容器２は、上方に向けて開口する薄型の有底筒状に形成されていると共に、左右方向よりも前後方向に長い平面視矩形状に形成されている。具体的に収容容器２は、底壁部１０と、底壁部１０の外周縁部から上方に向けて延びた周壁部１１と、底壁部１０から上方に向けて立設されると共に、収容容器２内を前後方向に仕切る２つの仕切壁１２と、を備えている。
【００２２】
底壁部１０は、前後方向を長手方向とする平面視矩形状に形成されている。なお、底壁部１０のうち前後方向における中間部は、左右方向に沿って上方に向けて窪んだ窪み部１０ａによって上げ底部１０ｂとされている。
但し、上げ底部１０ｂは必須なものではなく、具備しなくても構わない。この場合、底壁部１０の全体が平坦に形成されていても良い。また、上記窪み部１０ａを肉抜き等によって必ずしも形成する必要はなく、例えば窪み部１０ａの部分を埋めた状態で上げ底部１０ｂを形成しても構わない。
【００２３】
周壁部１１は、平面視で矩形枠状に形成され、前方に位置する前壁部１１ａと、後方に位置する後壁部１１ｂと、左右方向の両側に位置すると共に、前壁部１１ａと後壁部１１ｂとを接続する一対の側壁部１１ｃと、を有している。
周壁部１１における前壁部１１ａの左右方向の中間部には、下方に向けて窪む凹状の切欠部１５が形成されている。また、周壁部１１における後壁部１１ｂの左右方向の中間部には、後壁部１１ｂを上下に貫く連結凹部１６が形成されている。
【００２４】
仕切壁１２は、底壁部１０における前後方向の中央部に、前後方向に間隔をあけて平行に配置されている。図示の例では、仕切壁１２は、底壁部１０における上げ底部１０ｂを間にして前後方向に配置されていると共に、上げ底部１０ｂにそれぞれ接続されるように形成されている。これら仕切壁１２は、それぞれ左右方向に沿って延設され、一対の側壁部１１ｃ間を連結している。収容容器２の内部は、これら仕切壁１２によって、第１収容凹部Ｒ１、第２収容凹部Ｒ２及び第３収容凹部Ｒ３が前後方向に分かれて区画されている。
【００２５】
即ち、第１収容凹部Ｒ１は前方側に配置され、第２収容凹部Ｒ２は後方側に配置され、第３収容凹部Ｒ３は第１収容凹部Ｒ１と第２収容凹部Ｒ２との間に配置されている。図示の例では、第１収容凹部Ｒ１と第２収容凹部Ｒ２とは、同等の大きさとされている。また、仕切壁１２の高さは、周壁部１１の高さと同等とされている。
【００２６】
なお、第１収容凹部Ｒ１及び第２収容凹部Ｒ２内に、図示しない内容物が収容される。例えば、第１収容凹部Ｒ１内にはパフ等の塗布具が収容され、第２収容凹部Ｒ２内にはファンデーション等の化粧料が収容された金属製の中皿が収容される。但し、この場合に限定されるものではなく、第１収容凹部Ｒ１及び第２収容凹部Ｒ２の内部に、コンパクト容器１の用途等に応じて内容物を適宜選択して構わない。
【００２７】
蓋体３は、外面に鏡２１が配設された蓋本体２０と、収容容器２と蓋本体２０とを連結する連結板３０と、を備え、収容容器２に対して上下方向に開閉可能に連結されている。
蓋本体２０は、天壁部２２と、天壁部２２の外周縁部から下方に向けて延びた周壁部（縁部）２３と、を備えた薄型の有頂筒状に形成されている。
【００２８】
天壁部２２は、収容容器２の底壁部１０と同様に前後方向を長手方向とする平面視矩形状とされ、閉状態において底壁部１０に対して上下方向で対向している。これにより、蓋本体２０は、連結板３０を全域に亘って覆っていると共に収容容器２の開口を上方から覆っている。
【００２９】
蓋本体２０における天壁部２２の外面の中央部分には、下方に凹んだ段差部２５が形成されている。図示の例では、段差部２５は、天壁部２２のほぼ全体に亘って、左右方向よりも前後方向に長い平面視矩形状に凹んでいる。上記鏡２１は板状に形成され、段差部２５内に収納された状態で天壁部２２に対して取り付けられている。
なお、鏡２１の取付方法としては、例えば接着剤や両面テープ等による接着や、その他の方法による固着等が挙げられ、特に限定されるものではない。また、図示の例では、鏡２１の厚みは、段差部２５の深さよりも薄く形成されており、鏡２１の上面は天壁部２２の上面よりも下位に位置している。これにより、例えばコンパクト容器１を落下させてしまったとしても、鏡２１が割れ難い。
【００３０】
但し、鏡２１は板状に形成されている場合に限定されるものではない。例えば、蓋本体２０における天壁部２２の外面にシート状或いはフィルム状の鏡を固着する方法や、天壁部２２の外面に金属反射膜を蒸着する方法等により鏡を配設しても構わない。いずれにしても、蓋本体２０における天壁部２２の外面に鏡２１が配設されていれば良い。
なお、シート状、フィルム状の鏡や蒸着によって鏡を形成する場合には、上記段差部２５は設けなくても良い。
【００３１】
周壁部２３は、平面視矩形枠状に形成され、収容容器２の周壁部１１と同様に、前壁部２３ａ、後壁部２３ｂ、及びこれら前壁部２３ａ及び後壁部２３ｂを前後方向に接続する側壁部２３ｃを有している。蓋本体２０の周壁部２３は、収容容器２の周壁部１１の上端に接触しており、これにより収容容器２の内部を塞いでいる。
【００３２】
連結板３０は、後端部３０ａが収容容器２に対して第１回転軸Ｍ１回りに回転可能に連結され、前端部３０ｂが蓋本体２０の内面に対して第１回転軸Ｍ１と平行な第２回転軸Ｍ２回りに回転可能に連結されている。
【００３３】
連結板３０は、左右方向よりも前後方向に長い平面視矩形状に形成され、左右方向の長さは収容容器２に形成された連結凹部１６の左右方向の長さと同等とされている。一方、連結板３０の前後方向の長さは、蓋本体２０の前後方向の長さの略半分の長さとされている。
具体的に、連結板３０の後端部３０ａは、蓋本体２０における後壁部２３ｂの下方に位置している。これにより、連結板３０の後端部３０ａ上に、蓋本体２０の外周縁部の一部が位置している。また、連結板３０の前端部３０ｂは、蓋本体２０のうちその外周縁部より内側に位置する内側部分の内面に位置している。図示の例では、連結板３０の前端部３０ｂは、蓋本体２０における前後方向の中央部に位置している。さらに、連結板３０は、外面が収容容器２の内面に接触した状態で収容容器２に組み合わされている。
【００３４】
連結板３０の後端部３０ａには、下方に向けて突設されると共に連結凹部１６内に収容された第１ヒンジブロック３１が形成されている。
この第１ヒンジブロック３１は、左右方向に沿って延びると共に、下端部が下方に向けて半円状に突出している。なお、第１ヒンジブロック３１は、後面が後壁部２３ｂと面一とされた状態で連結凹部１６内に収容されている。
【００３５】
第１ヒンジブロック３１と連結凹部１６とは、左右方向に沿って延びた第１回転軸部３２を介して連結されている。第１回転軸部３２は、連結凹部１６における左右方向の内側端部と、第１ヒンジブロック３１における左右方向の外側端部とをそれぞれ連結している。なお、第１回転軸部３２の中心軸線が上記第１回転軸Ｍ１とされている。
これにより、連結板３０の後端部３０ａは、収容容器２に対して、第１ヒンジブロック３１を介して第１回転軸Ｍ１回りに回転可能に連結されている。
【００３６】
連結板３０の前端部３０ｂには、左右方向に沿って延びると共に、下方に向けて半円状に突出した第２ヒンジブロック３５が形成されている。この第２ヒンジブロック３５は、蓋本体２０の内面側に形成された２つの連結ブロック３６の間に配置されている。
【００３７】
２つの連結ブロック３６は、蓋本体２０の内面において前後方向の中間部に配置されていると共に、左右方向に間隔をあけて配置されている。これら連結ブロック３６は、第２ヒンジブロック３５と同様に、左右方向に沿って延びると共に下方に向けて半円状に突出している。つまり、第２ヒンジブロック３５及び２つの連結ブロック３６は、左右方向に沿って一列に並んだ状態で配置されている。なお、これら第２ヒンジブロック３５及び２つの連結ブロック３６は、収容容器２における第３収容凹部Ｒ３内に収容されている。
【００３８】
第２ヒンジブロック３５と２つの連結ブロック３６とは、左右方向に沿って延びた第２回転軸部３７を介して連結されている。第２回転軸部３７は、第２ヒンジブロック３５における左右方向の外側端部と、連結ブロック３６における左右方向の内側端部と、をそれぞれ連結している。なお、第２回転軸部３７の中心軸線が上記第２回転軸Ｍ２とされている。
これにより、連結板３０の前端部３０ｂは、蓋本体２０の内面に対して、第２ヒンジブロック３５を介して第２回転軸Ｍ２回りに回転可能に連結されている。
【００３９】
上述のように連結板３０が構成されているので、収容容器２に対して第１回転軸Ｍ１回りに連結板３０を回転させることで、図４に示すように蓋体３の全体を収容容器２に対して上方に離間するように移動させることが可能となる。さらに、連結板３０に対して第２回転軸Ｍ２回りに蓋本体２０を回転させることで、図５に示すように蓋本体２０の外面に配設されている鏡２１を前方に向けることが可能となる。
【００４０】
ところで、図２に示すように、連結板３０の後端部３０ａには、蓋本体２０の後壁部２３に向けて突出した第１係合突起（第１係合部）４０が形成されている。第１係合突起４０は、連結板３０の左右方向の全長に亘って長尺に形成されている。これに対して、蓋本体２０の後壁部２３ｂには、前方に向けて突出すると共に、第１係合突起４０に対して離脱可能に係合する第２係合突起（第２係合部）４１が形成されている。図示の例では、第２係合突起４１は、第１係合突起４０に対してアンダーカット嵌合している。
【００４１】
但し、上述のように突起同士による係合に限定されるものではなく、例えば連結板３０側に第１係合部として凸部又は凹部を形成し、蓋本体２０側に第２係合部として凹部又は凸部を形成し、凸部と凹部との係合としても構わない。
【００４２】
また、図２及び図３に示すように、蓋本体２０の内面には、蓋本体２０の前後方向の中間部において、左右方向に沿って延びた長尺な溝部４３が形成されている。この溝部４３は、２つの連結ブロック３６の間に亘って形成されている。
これに対して、図３、図６及び図７に示すように、連結板３０の前端部３０ｂに形成された第２ヒンジブロック３５には、上記溝部４３内に嵌って係合する凸条部４４が形成されている。凸条部４４は、第２ヒンジブロック３５の外周面から、第２回転軸Ｍ２の径方向外側に突出すると共に、第２ヒンジブロック３５の左右方向の全長に亘って長尺に形成されている。また、凸条部４４は、第２回転軸Ｍ２を中心として所定角度毎に複数形成されている。
【００４３】
従って、図５及び図８に示すように、連結板３０に対して第２回転軸Ｍ２回りに蓋本体２０を回転させた際、複数の凸条部４４のいずれかを溝部４３内に係合させることで、所望の回転角度で蓋本体２０を位置決めすることが可能となる。
上述した溝部４３及び複数の凸条部４４は、複数の回転角度で蓋本体２０を連結板３０に対して位置決めする位置決め部材４５として機能する。
【００４４】
さらに、本実施形態のコンパクト容器１には、図１及び図２に示すように、蓋体３の収容容器２に対する閉状態を維持する係合部５０が設けられている。
係合部５０は、収容容器２に設けられた第１フック５１と、蓋本体２０に設けられ、第１フック５１と係合可能な第２フック５２と、第１フック５１及び第２フック５２の係合を解除する操作部材５３と、を有している。
【００４５】
第１フック５１は、収容容器２の前壁部１１ａに形成された切欠部１５内に配設されたガイド壁部５５を有している。ガイド壁部５５は、その前面が収容容器２の前面よりも後方に配置されると共に、上方に向かうに従い後方に向けて傾斜する傾斜面５５ａとされている。ガイド壁部５５の上端部には、第１爪部５５ｂが前方に向けて突設されている。ガイド壁部５５の下端部には、前後方向に沿って延在するガイド穴部５５ｃが形成されている。
【００４６】
第２フック５２は、蓋本体２０の天壁部２２から下方に向けて延びると共に、前壁部１１ａよりも後方に配置された縦壁部５６を有している。縦壁部５６は、蓋体３の閉状態において、平面視で第１フック５１と重なる位置に配置されている。縦壁部５６の下端部には、蓋体３の閉状態において、収容容器２の切欠部１５内に挿通され、第１フック５１の第１爪部５５ｂに係合可能な第２爪部５６ａが後方に向けて突設されている。
【００４７】
操作部材５３は、切欠部１５の内側において収容容器２に支持されている。具体的に、操作部材５３は、前後方向の位置が蓋本体２０の前壁部２３ａと同等の位置に配置された押圧壁部５３ａと、押圧壁部５３ａから後方に向けて突設され、上記ガイド壁部５５の傾斜面５５ａ上に位置する突起部５３ｂと、押圧壁部５３ａの下端部に形成され、第１フック５１のガイド穴部５５ｃ内に挿入されたベース部５３ｃと、を有している。
【００４８】
なお、操作部材５３に第１爪部５５ｂを形成し、且つ突起部５３ｂ、及び上述したガイド壁部５５の傾斜面５５ａに代えて、ガイド壁部５５と操作部材５３との間に例えば筒状の弾性体を介在させる構成にしても構わない。
【００４９】
（コンパクト容器の使用）
次に、上述したように構成されたコンパクト容器１を使用する場合について説明する。
はじめに、このコンパクト容器１は、図１に示すように蓋本体２０における天壁部２２の外面に鏡２１が配設されているので、蓋体３を開けることなく鏡２１を使用することができ、例えば化粧チェックを手軽に行える。
【００５０】
次いで、化粧料等の内容物を使用する場合には、まず係合部５０の操作部材５３を操作して蓋体３の閉状態を解除する。具体的には、押圧壁部５３ａを後方に向けて押圧し、操作部材５３の全体を後方にスライド移動させる。すると、操作部材５３の突起部５３ｂが、ガイド壁部５５の傾斜面５５ａに沿って後方に移動するので、第２フック５２の第２爪部５６ａを下方から押し上げて、第１フック５１における第１爪部５５ｂから離脱させる。これにより、第１爪部５５ｂと第２爪部５６ａとの係合を解除することができ、蓋体３が開操作可能な状態となる。
【００５１】
これにより、蓋体３の全体を第１回転軸Ｍ１回りに回転させることができ、図４に示すように、収容容器２に対して上方に離間するように蓋体３を開操作することができる。このとき、連結板３０の外面と蓋本体２０の内面とが面接触しているので、連結板３０と蓋本体２０とをがたつき少なく一体に回転させることができる。従って、蓋体３の姿勢が安定するので、蓋体３の開操作を安定して行うことができる。
しかも、連結板３０側の第１係合突起４０と蓋本体２０側の第２係合突起４１とが係合しているので、蓋体３の開操作中に連結板３０に対して蓋本体２０が不意に回転してしまうことを防止することができる。この点においても、蓋体３の開操作を安定して行うことができる。
【００５２】
次いで、蓋体３を開操作した後、図５に示すように、連結板３０側の第１係合突起４０と蓋本体２０側の第２係合突起４１との係合を解除した後、連結板３０に対して蓋本体２０を第２回転軸Ｍ２回りに回転させることで、蓋本体２０を裏返して、蓋本体２０の外面側を収容容器２の開口側である前方に向けることができる。これにより、鏡２１を使用しながら内容物を使用することができ、例えば化粧を行える。
【００５３】
このように本実施形態のコンパクト容器１では、蓋体３をスライド移動させる従来のものとは異なり、一連の回転操作を行うだけで、蓋体３の開操作と鏡２１の使用状態への移行操作とを同時に行えるので、操作性に優れ、使い易い。
特に、蓋体３を収容容器２上でスライド移動させる必要がないので、例えば蓋体３が内容物に引っ掛かり、それによってパフ等の塗布具（内容物）が落下したり、化粧料（内容物）が空気中に飛散して鏡２１に付着したりする等の現象が生じ難い。また、収容容器２に対する連結板３０の回転角度と、連結板３０に対する蓋本体２０の回転角度と、の２つの回転角度の組み合わせで鏡２１の傾斜角度を細かく調整することができるので、非常に使い易い。
【００５４】
また、蓋本体２０が連結板３０を全域に亘って覆っているので、蓋体２０の全体を第１回転軸Ｍ１回りに回転させる際、第１回転軸Ｍ１を中心とした蓋体２０の全体の回転半径を短くすることができるので、蓋体２０の開操作を行い易い。
さらに、連結板３０の前端部３０ｂが蓋本体２０の外周縁部よりも内側に位置する内側部分の内面に連結されているので、蓋本体２０のうち連結板３０の前端部３０ｂよりもさらに前方に位置する前壁部２３ａまでの長さを短くすることができる。従って、連結板３０に対して蓋本体２０を第２回転軸Ｍ２回りに回転させる際に、第２回転軸Ｍ２を中心とした蓋本体２０の回転半径を短くすることができる。従って、例えば蓋本体２０が収容容器３０に干渉する等して、操作性が悪化することを防ぐことができる。
【００５５】
特に、図示の例では、連結板３０の前端部３０ｂが、蓋本体２０における前後方向の中間部に位置した状態で蓋本体２０に連結されているので、蓋本体２０の回転中心（第２回転軸Ｍ２）を収容容器２から上方に離れた位置に位置させることができる。そのため、収容容器２への干渉を抑制しながら蓋本体２０を第２回転軸Ｍ２回りに回転させることができ、鏡２１をより立てた状態にすることが可能であるうえ、鏡２１の位置を収容容器２から上方側の離れた位置に配置させ易い。従って、鏡２１が見易くなる。
【００５６】
加えて、連結板３０に対して蓋本体２０を第２回転軸Ｍ２回りに回転させる際、連結板３０側の凸条部４４を蓋本体２０側の溝部４３内に係合させることで、蓋本体２０を複数の回転角度の中から選択した任意の回転角度で位置決めすることができる。従って、例えば使用環境や使用者の体型等に応じて鏡２１の傾斜角度を調整することができ、さらに使い易くなる。
【００５７】
なお、本発明の技術範囲は、上記実施形態に限定されるものではなく、本発明の趣旨を逸脱しない範囲において、種々の変更を加えることが可能である。
【００５８】
例えば、蓋本体２０の外面にインモールド成型により鏡２１を形成しても良い。この場合には、凹面鏡や平面鏡等、様々なタイプの鏡を容易、且つ蓋本体２０の成形と同時に成形することができる。また、蓋体３の薄型化を図り易いので、コンパクト容器１の薄型化及び軽量化を図ることができる。
【００５９】
また、上記実施形態では、蓋本体２０側に形成した溝部４３と、連結板３０側に形成した複数の凸条部４４とで位置決め部材４５を構成したが、これとは逆に、蓋本体２０側に凸条部４４を形成し、連結板３０の第２ヒンジブロック３５に複数の溝部４３を形成して、位置決め部材４５を構成しても構わない。
【符号の説明】
【００６０】
Ｍ１…第１回転軸
Ｍ２…第２回転軸
１…コンパクト容器
２…収容容器
３…蓋体
２０…蓋本体
２１…鏡
３０…連結板
３０ａ…連結板の後端部
３０ｂ…連結板の前端部
４０…第１係合突起（第１係合部）
４１…第２係合突起（第２係合部）
４５…位置決め部材
【図１】
2015223478.tif 000003
【図２】
2015223478.tif 000004
【図３】
2015223478.tif 000005
【図４】
2015223478.tif 000006
【図５】
2015223478.tif 000007
【図６】
2015223478.tif 000008
【図７】
2015223478.tif 000009
【図８】
2015223478.tif 000010